【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
クライアント機器のユーザにアプリケーションを提供する、コンピュータにより実施される方法であって、
チャネルを介して前記クライアント機器のユーザを認証することであって、認証オペレーションが、ネットワークを介して前記クライアント機器に接続されたサーバ上のディレクトリ・サービスを使用して実行される、前記認証すること、
前記クライアント機器により表示されるグラフィカル・ユーザインタフェース（ＧＵＩ）において、前記クライアント機器で表示される複数のアプリケーションを提示することであって、該複数のアプリケーションは、少なくとも部分的に、前記認証オペレーション、前記クライアント機器、および前記チャネルによって決まり、該複数のアプリケーションは、シンアプリケーションと、サービス型ソフトウェア（ＳａａＳ）アプリケーションとを含む、前記提示すること、
前記クライアント機器により前記複数のアプリケーションのうちの一つのアプリケーションのＧＵＩを介して前記ユーザから選択を受け取ること、
前記選択がシンアプリケーションについてのものである場合に、ネットワークを介して前記クライアント機器と接続されたサーバ上の該シンアプリケーションを起動させること、
前記選択がＳａａＳアプリケーションについてのものである場合に、ネットワークを介して前記クライアント機器と接続されたＳａａＳアプリケーションサーバ上の該ＳａａＳアプリケーションのプロビジョニングを実施すること
を含み、
該プロビジョニングは、ネットワークを介して前記クライアント機器と接続されたサーバ上で動作するアプリケーション・マネージャにより実行され、
前記アプリケーション・マネージャによる前記プロビジョニングは、シングル・サインオン・プロトコルを用いて、前記ＳａａＳアプリケーションサーバ上の該ＳａａＳアプリケーションのプロバイダのアカウントに前記ユーザを自動的にログオンさせること、前記ユーザが前記クライアント機器を用いて前記ＳａａＳアプリケーションサーバ上の該ＳａａＳアプリケーションとやり取りできるように前記ユーザを前記アカウントに接続させることを含む、方法。
【請求項２】
前記シンアプリケーションは、サンドボックス・アプリケーションである、請求項１に記載の方法。
【請求項３】
前記複数のアプリケーションは、さらに、リモートアプリケーションを含む、請求項１に記載の方法。
【請求項４】
前記リモートアプリケーションは、デスクトップ仮想化アプリケーションである、請求項３に記載の方法。
【請求項５】
前記ＳａａＳアプリケーションは、ウェブアプリケーションである、請求項１に記載の方法。
【請求項６】
前記ＧＵＩにより前記ユーザに表示される複数のアプリケーションは、少なくとも部分的に、前記ユーザのジオロケーションによって決まる、請求項１に記載の方法。
【請求項７】
前記ユーザに表示される前記複数のアプリケーションの使用、およびユーザによる前記複数のアプリケーションの該使用のジオロケーションに関する統計を収集することをさらに含む、請求項６に記載の方法。
【請求項８】
前記プロビジョニングすることは、ジャストインタイム（ＪＩＴ）で実行される、請求項１に記載の方法。
【請求項９】
前記ディレクトリ・サービスは、アクティブディレクトリ（ＡＤ）サービスである、請求項１に記載の方法。
【請求項１０】
プログラムを格納している非一時的なコンピュータ読み取り可能な記憶媒体であって、該プログラムは、実行されることで、１つまたは複数のプロセッサに、
チャネルを介してクライアント機器のユーザを認証することであって、認証オペレーションが、ネットワークを介して前記クライアント機器に接続されたサーバ上のディレクトリ・サービスを使用して実行される、前記認証すること、
前記クライアント機器により表示されるグラフィカル・ユーザインタフェース（ＧＵＩ）において、前記クライアント機器で表示される複数のアプリケーションを提示することであって、該複数のアプリケーションは、少なくとも部分的に、前記認証オペレーション、前記クライアント機器、および前記チャネルによって決まり、該複数のアプリケーションは、シンアプリケーションと、サービス型ソフトウェア（ＳａａＳ）アプリケーションとを含む、前記提示すること、
前記クライアント機器により前記複数のアプリケーションのうちの一つのアプリケーションのＧＵＩを介して前記ユーザから選択を受け取ること、
前記選択がシンアプリケーションについてのものである場合に、ネットワークを介して前記クライアント機器と接続されたサーバ上の該シンアプリケーションを起動させること、
前記選択がＳａａＳアプリケーションについてのものである場合に、ネットワークを介して前記クライアント機器と接続されたＳａａＳアプリケーションサーバ上の該ＳａａＳアプリケーションのプロビジョニングを実施することであって、該プロビジョニングは、ネットワークを介して前記クライアント機器と接続されたサーバ上で動作するアプリケーション・マネージャにより実行され、シングル・サインオンを使用して、前記ＳａａＳアプリケーションサーバ上の該ＳａａＳアプリケーションのプロバイダのアカウントに前記ユーザを自動的にログオンさせること、前記ユーザが前記クライアント機器を用いて前記ＳａａＳアプリケーションサーバ上の該ＳａａＳアプリケーションとやり取りできるように前記ユーザを前記アカウントに接続させることを含む、前記プロビジョニングを実施すること
を実行するように命令する、コンピュータ読み取り可能な記憶媒体。
【請求項１１】
前記シンアプリケーションは、サンドボックス・アプリケーションである、請求項１０に記載のコンピュータ読み取り可能な記憶媒体。
【請求項１２】
前記複数のアプリケーションは、さらに、リモートアプリケーションを含む、請求項１０に記載のコンピュータ読み取り可能な記憶媒体。
【請求項１３】
前記リモートアプリケーションは、デスクトップ仮想化アプリケーションである、請求項１２に記載のコンピュータ読み取り可能な記憶媒体。
【請求項１４】
前記ＳａａＳアプリケーションは、ウェブアプリケーションである、請求項１０に記載のコンピュータ読み取り可能な記憶媒体。
【請求項１５】
前記ＧＵＩにより前記ユーザに表示される複数のアプリケーションは、少なくとも部分的に、前記ユーザのジオロケーションによって決まる、請求項１０に記載のコンピュータ読み取り可能な記憶媒体。
【請求項１６】
前記ユーザに表示される前記複数のアプリケーションの使用、およびユーザによる前記複数のアプリケーションの該使用のジオロケーションに関する統計を収集することをさらに含む、請求項１５に記載のコンピュータ読み取り可能な記憶媒体。
【請求項１７】
前記プロビジョニングすることは、ジャストインタイム（ＪＩＴ）で実行される、請求項１０に記載のコンピュータ読み取り可能な記憶媒体。
【請求項１８】
前記ディレクトリ・サービスは、アクティブディレクトリ（ＡＤ）サービスである、請求項１０に記載のコンピュータ読み取り可能な記憶媒体。
【請求項１９】
クライアント機器のユーザにアプリケーションを提供する、コンピュータにより実施される方法であって、
チャネルを介して前記クライアント機器のユーザを認証することであって、認証オペレーションが、ネットワークを介して前記クライアント機器に接続されたサーバ上のディレクトリ・サービスを使用して実行される、前記認証すること、
前記クライアント機器により表示されるグラフィカル・ユーザインタフェース（ＧＵＩ）において、前記クライアント機器で表示される複数のアプリケーションを提示することであって、該複数のアプリケーションは、少なくとも部分的に、前記ユーザの認証オペレーション、前記クライアント機器、および前記クライアント機器のジオロケーションによって決まり、該複数のアプリケーションは、サンドボックス・アプリケーションと、サービス型ソフトウェア（ＳａａＳ）アプリケーションとを含む、前記提示すること、
前記クライアント機器により前記複数のアプリケーションのうちの一つのアプリケーションのＧＵＩを介して前記ユーザから選択を受け取ること、
前記選択がＳａａＳアプリケーションについてのものである場合に、ネットワークを介して前記クライアント機器と接続されたＳａａＳアプリケーションサーバ上の該ＳａａＳアプリケーションのプロビジョニングを実施することであって、該プロビジョニングは、ネットワークを介して前記クライアント機器と接続されたサーバ上で動作するアプリケーション・マネージャにより実行され、前記アプリケーション・マネージャによる前記プロビジョニングは、シングル・サインオンを用いて、前記ＳａａＳアプリケーションサーバ上の該ＳａａＳアプリケーションのプロバイダのアカウントに前記ユーザを自動的にログオンさせること、前記ユーザが前記クライアント機器を用いて前記ＳａａＳアプリケーションサーバ上の該ＳａａＳアプリケーションとやり取りできるように前記ユーザを前記アカウントに接続させることを含む、前記プロビジョニングを実施すること、
前記選択がサンドボックス・アプリケーションについてのものである場合に、ネットワークを介して前記クライアント機器と接続されたサーバ上の該サンドボックス・アプリケーションを起動させること
を含む、方法。
【請求項２０】
前記ユーザに表示される複数のアプリケーションは、さらに、仮想化されたデスクトップアプリケーションを含む、請求項１９に記載の方法。